(57)【要約】【課題】ゴム又は樹脂を含有する根管充填物を簡単に除去することができる根管充填物除去器具、及びその使用方法を提供すること。【解決手段】本発明の根管充填物除去器具を用いて、根管に残存している根管充填物を除去するためには、まず、本発明の根管充填物除去器具を根管に挿入し、突出部を根管充填物に突き刺し、突出部を根管充填物に引っ掛ける。例えば、突出部がとげ状突起を有する場合は、根管充填物除去器具を根管内で傾けたりして、根管充填物除去器具のとげ状突起に根管充填物を引っ掛ければよく、突出部がらせん状部位を有する場合は、根管充填物除去器具の柄を根管内で回転させて、突出部に根管充填物を引っ掛ければよい。このようにして引っ掛けた根管充填物を根管壁に押し付けながら引き上げて根管外へ取り出す。【選択図】図１
2010046439.tif 000002
【特許請求の範囲】
【請求項１】
ゴム又は樹脂を含有する根管充填物を除去するための器具であって、
把持するための柄と、
前記柄の遠位部に設けられた、根管充填物を引っ掛けるための突出部と、
を備え、
前記突出部の遠位端は、根管充填物を突き刺すことができる細さであること、
を特徴とする根管充填物除去器具。
【請求項２】
前記柄の遠位部が、らせん状部位を有することを特徴とする請求項１に記載の根管充填物除去器具。
【請求項３】
前記突出部が、とげ状突起を有することを特徴とする請求項１に記載の根管充填物除去器具。
【請求項４】
前記突出部の側壁と、前記側壁に設けられたとげ状突起との内角が５〜９０度であることを特徴とする請求項３に記載の根管充填物除去器具。
【請求項５】
前記器具の幅は０．１０ｍｍ〜０．５０ｍｍであることを特徴とする請求項１〜４のいずれかに記載の根管充填物除去器具。
【請求項６】
ステンレススチールを含有することを特徴とする請求項１〜５のいずれかに記載の根管充填物除去器具。
【請求項７】
前記根管充填物が、ガッタパーチャであることを特徴とする請求項１〜６のいずれかに記載の根管充填物除去器具。
【請求項８】
根管に充填された、ゴム又は樹脂を含有する根管充填物を前記根管から除去するための方法であって、
前記根管充填物に金属棒を突き刺して、前記金属棒に前記根管充填物を引っ掛け、前記根管充填物を根管外に除去すること、
を特徴とする根管充填物除去方法。
【請求項９】
前記金属棒が、らせん状部位を有し、
前記金属棒を根管内で回転させながら前記根管充填物に挿入し、前記らせん状部位に前記根管充填物を引っ掛けることを特徴とする請求項８に記載の根管充填物除去方法。
【請求項１０】
前記金属棒が、１つ以上のとげ状突起を有し、
前記とげ状突起で前記根管充填物を引っ掛けることを特徴とする請求項９に記載の根管充填物除去方法。
【請求項１１】
前記根管充填物が、ガッタパーチャであることを特徴とする請求項８〜１０のいずれかに記載の根管充填物除去方法。
【発明の詳細な説明】
【技術分野】
【０００１】
本発明は、根管充填物除去器具及びその使用方法に関する。
【背景技術】
【０００２】
口腔内の食物残留物に細菌類が作用し生成される乳酸により、歯の組織が浸食されるのが齲歯、一般に言われるところの虫歯である。歯科治療では、齲歯が歯髄にまで及ぶと、歯髄を除去後に、歯髄に連通する根管を適宜切削拡大し、消毒措置して、根管内にガッタパーチャ等を充填するという根管治療を施す。そのため、一度治療した歯を再度治療する場合、根管に充填されたガッタパーチャ等の充填物を一度外す必要がある。
【０００３】
従来、根管に充填されたガッタパーチャを外す場合、そのガッタパーチャを溶剤で溶解させた後、エキスカベータ、リーマー、ファイル、歯科用ドリルなどで切削除去しなければならなかった。
【発明の開示】
【発明が解決しようとする課題】
【０００４】
本発明は、ゴム又は樹脂を含有する根管充填物を簡単に除去することができる根管充填物除去器具、及びその使用方法を提供することを目的とする。
【課題を解決するための手段】
【０００５】
本発明にかかる根管充填物除去器具は、ゴム又は樹脂を含有する根管充填物を除去するための器具であって、把持するための柄と、前記柄の遠位部に設けられた、根管充填物を引っ掛けるための突出部とを備え、前記突出部の遠位端は、根管充填物を突き刺すことができる細さであることを特徴とする。
【０００６】
ここで、前記根管充填物除去器具において、前記柄の遠位部が、らせん状部位を有していてもよい。このような根管充填物除去器具の幅は、０．１０ｍｍ〜０．５０ｍｍであることが好ましい。
【０００７】
また、前記根管充填物除去器具において、前記突出部は、とげ状突起を有していてもよい。この場合、前記突出部の側壁と、前記側壁に設けられたとげ状突起との内角は、５〜９０度であることが好ましい。このような根管充填物除去器具の幅は、０．１０ｍｍ〜０．５０ｍｍであることが好ましい。
【０００８】
なお、前記根管充填物除去器具は、ステンレススチールを含有することが好ましい。前記根管充填物としては、例えば、ガッタパーチャ等が挙げられる。
【０００９】
本発明にかかる根管充填物除去方法は、根管に充填された、ゴム又は樹脂を含有する根管充填物を前記根管から除去するための方法であって、前記根管充填物に金属棒を突き刺して、前記金属棒に前記根管充填物を引っ掛け、前記根管充填物を根管外に除去することを特徴とする。
【００１０】
ここで、前記根管充填物除去方法において、前記金属棒は、らせん状部位を有し、前記金属棒を根管内で回転させながら前記根管充填物に挿入し、前記らせん状部位に前記根管充填物を引っ掛けてもよい。また、前記根管充填物除去方法において、前記金属棒は、１つ以上のとげ状突起を有し、前記とげ状突起で前記根管充填物を引っ掛けてもよい。
【００１１】
なお、前記根管充填物除去方法において、前記根管充填物としては、例えば、ガッタパーチャ等が挙げられる。
【発明の効果】
【００１２】
本発明によって、ゴム又は樹脂を含有する根管充填物を簡単に除去することができる根管充填物除去器具、及びその使用方法を提供することができるようになった。
【発明を実施するための最良の形態】
【００１３】
本発明の目的、特徴、利点、及びそのアイデアは、本明細書の記載により、当業者には明らかであり、本明細書の記載から、当業者であれば、容易に本発明を再現できる。以下に記載された発明の実施の形態等は、本発明の好ましい実施態様を示すものであり、例示又は説明のために示されているのであって、本発明をそれらに限定するものではない。本明細書で開示されている本発明の意図並びに範囲内で、本明細書の記載に基づき、様々な改変並びに修飾ができることは、当業者にとって明らかである。以下、本発明の好ましい実施の形態につき、添付図面を参照して詳細に説明する。
【００１４】
＝＝＝根管充填物除去器具の構成＝＝＝
図１〜図３は、本発明の一実施形態として説明する根管充填物除去器具の概略図である。
【００１５】
根管充填物除去器具１０は、操作者が把持する柄１２と、柄１２の遠位部に設けられた、根管充填物を引っ掛けるための突出部１４とを備えている。使用される根管充填物の材料としては、ゴム（例えば、ガッタパーチャ等）、樹脂等が挙げられる。
【００１６】
柄１２は、直径約０．１０ｍｍ〜１．００ｍｍ、長さ約３０．００ｍｍ以下の金属棒であるが、空洞であってもよい。柄１２の材料には、耐久性や腐食性を有する金属が含まれていることが好ましい。このような金属としては、例えば、ステンレス、ニッケルチタン、コバルトクロム、その他の合金等が挙げられるが、ステンレスが特に好ましい。柄１２の形状は、三角柱（図１を参照のこと）、円柱（図２及び図３を参照のこと）等がある。なお、根管充填物除去器具１０を使用する際、柄１２が滑りやすい場合は、柄１２の近位端に、滑り止め１３を設けてもよい。滑り止め１３の形状及び材質等は特に限定されない。
【００１７】
突出部１４は、金属棒である柄１２の遠位端から突出し、根管充填物を引っ掛けることのできる部分を指す。突出部１４は、根管に存在する根管充填物を突き刺すことができる細さの先端を有し、形状の特徴として、例えば、突出部がとげ状突起を有するもの（図２を参照のこと）や、突出部がらせん状部位を有するもの（図３を参照のこと）等がある。突出部１４の材料には、耐久性や腐食性を有する金属が含まれていることが好ましい。このような金属としては、例えば、ステンレス、ニッケルチタン、コバルトクロム、その他の合金等が挙げられるが、ステンレスが特に好ましい。
【００１８】
例えば、突出部１４が有するとげ状突起２０は、長さ約０．０１〜０．３０ｍｍの、テーパー状の硬質の金属から構成されている（図１及び図２を参照のこと）。ここで、とげ状突起２０の、末端の直径は約０．１０〜０．５０ｍｍ、先端１８の直径は約０．０１〜０．１０ｍｍであることが好ましい。このとげ状突起２０は、根管充填物を引っ掛けることができる角度で、突出部１４の側壁に備えられていることが好ましい。具体的には、突出部１４の側壁と、側壁に設けられたとげ状突起２０との内角が、５〜９０度であることが好ましく、３０〜４５度であることがより好ましい。このようなとげ状突起２０は、突出部１４の側壁に複数備えていてもよいが（図２）、１つでも構わない（図１）。
【００１９】
また、突出部１４が有するらせん状部位１６は、直径約０．０１〜０．１０ｍｍ、長さ約０．５０〜１０．００ｍｍ（好ましくは、約０．５０〜５．００ｍｍ）の、らせん状の硬質の金属から構成されている（図３を参照のこと）。らせん状部位１６の先端１８は、根管充填物を突き刺すことができる細さであればよく、先端１８の直径は約０．１０〜０．５０ｍｍであることが好ましい。
【００２０】
このような本発明にかかる根管充填物除去器具１０は、根管に挿入しやすい大きさで構成されている。根管の長さや太さは、歯の種類によって異なるため、例えば、切歯である場合、根管充填物除去器具１０の長さは（図１〜３において、ａに対応）１５．００ｍｍ以上、好ましくは２０．００ｍｍ以上であり、根管充填物除去器具１０の幅（図１〜３において、ｂに対応）は２．００ｍｍ以下、好ましくは１．００ｍｍ以下であり、犬歯である場合、根管充填物除去器具１０の長さは１５．００ｍｍ以上、好ましくは３０．００ｍｍ以上であり、根管充填物除去器具１０の幅）は１．００ｍｍ以下、好ましくは０．３０ｍｍ以下であり、小臼歯である場合、根管充填物除去器具１０の長さは１５．００ｍｍ以上、好ましくは２０．００ｍｍ以上、であり、根管充填物除去器具１０の幅は１．００ｍｍ以下、好ましくは０．３０ｍｍ以下であり、大臼歯である場合、根管充填物除去器具１０の長さは１５．００ｍｍ以上、好ましくは２０．００ｍｍ以上であり、根管充填物除去器具１０の幅は０．１０〜１．００ｍｍ、好ましくは０．１０〜０．５０ｍｍである。特に、大臼歯である場合、根管充填物除去器具１０の幅の０．２０ｍｍであることが好ましい。
【００２１】
本発明にかかる根管充填物除去器具１０は、上記構成をとることにより、根管に充填された根管充填物を簡便な操作で確実に根管外に除去することができる。
【００２２】
＝＝＝根管充填物除去器具の操作方法＝＝＝
本発明にかかる根管充填物除去器具１０は、図４に示すように、歯の根管治療において、根管に充填した根管充填物３２を除去する場合に用いられる。具体的な根管充填物除去器具１０の操作方法は、以下の通りである。なお、歯科用顕微鏡により根管部分を覗きながら根管充填物除去器具１０を用いてもよい。
【００２３】
まず、図４に示すように、本発明の根管充填物除去器具１０を突出部１４の方から根管３０に挿入する。ここで、突出部１４を根管３０の内面に沿うようにゆっくり挿入すれば、根管壁を傷つけることなく、根管に残存している歯冠側の根管充填物３２に到達するまで根管充填物除去器具１０を挿入することができる（図４を参照のこと）。突出部１４の先端と根管充填物３２の歯冠３４側とが接触したことを確認した上で、突出部１４を根管充填物３２に突き刺す。ここで、突出部１４と根管充填物３２とが接触したことを確認する方法としては、根管を観察することができる顕微鏡を用いて視覚的に確認する方法や、突出部１４と根管充填物３２とが接触した際に生じる手への微小な振動等に基づいて体感的に確認する方法や、Ｘ線等による画像的に確認する方法等が挙げられる。
【００２４】
突出部１４を根管充填物３２に突き刺した後、例えば、突出部１４がとげ状突起２０を有する場合（図１及び２を参照のこと）は、とげ状突起２０が根管充填物に入るまで突出部１４を根管充填物に突き刺し、根管充填物除去器具１０を根管内で傾けたりして、根管充填物除去器具１０のとげ状突起２０に根管充填物３２を引っ掛ければよい。また、突出部１４がらせん状部位１６を有する場合（図３を参照のこと）は、根管充填物除去器具１０の柄１２を根管内で回転させて、らせん状部位１６に根管充填物３２を引っ掛ければよい。
【００２５】
このようにして突出部１４の有するとげ状突起２０又はらせん状部位１６に引っ掛けた根管充填物３２を、根管壁に押し付けながら落ちないようにして引き上げ、最終的に根管外へ取り出す。
【００２６】
以上のように、本発明の方法を用いれば、根管充填物を根管に不必要に残存させることなく、根管外へ容易に除去することができる。
【図面の簡単な説明】
【００２７】
【図１】本発明の一実施例において、１つのとげ状突起を備える突出部を有する根管充填物除去器具の構成を示した図である。
【図２】本発明の一実施例において、複数のとげ状突起を備える突出部を有する根管充填物除去器具の構成を示した図である。
【図３】本発明の一実施例において、らせん状の突出部を有する根管充填物除去器具の構成を示した図である。
【図４】根管に充填された根管充填物を示した図である。
【符号の説明】
【００２８】
１０  根管充填物除去器具
１２  柄
１３  滑り止め
１４  突出部
１６  らせん状部位
１８  先端
２０  とげ状突起
２２  先端
３０  根管
３２  根管充填物
３４  歯冠
３６  歯根
【図１】
2010046439.tif 000003
【図２】
2010046439.tif 000004
【図３】
2010046439.tif 000005
【図４】
2010046439.tif 000006